【事件の表示】
　特許第３２５０００９号「パチンコ機用施錠装置」の請求項１に係る特許に対する特許異議の申立てについて、次のとおり決定する。
【結　論】
　訂正を認める。
　特許第３２５０００９号の請求項１に係る特許を取り消す。
【理　由】
第１．手続の経緯
　本件特許第３２５０００９号の請求項１に係る発明は、平成１０年１月２６日に特許出願され、平成１３年１１月１６日にその発明について特許権の設定登録がなされ、その後、請求項１に係る発明の特許について、本間幹雄より特許異議の申立てがなされ、取消理由通知がなされ、その指定期間内である平成１５年３月１８日に訂正請求がなされたものである。
第２．訂正の適否についての判断
１．訂正の内容
　平成１５年３月１８日付けの訂正請求は、本件特許明細書を訂正請求書に添付した訂正明細書のとおりに訂正しようとするものであって、その訂正の内容は、以下のとおりである。
・訂正事項ａ
　特許明細書の特許請求の範囲の請求項１における、「前記基枠内の取付板に沿って摺動可能に」を、「前記基枠内の取付板の内側に沿って摺動可能に」と訂正する。
．訂正事項ｂ
　特許明細書の特許請求の範囲の請求項１における、「該取付板に固定された頭付きガイドピンが該長孔に通され、」を、「該取付板に固定された頭付きガイドピンが該長孔に通されて該ガラス枠施錠杆は該取付板の内側で上下摺動可能に支持され、」と訂正する。
・訂正事項ｃ
　特許明細書の段落【０００８】【課題を解決するための手段】の欄の記載中、「前記基枠内の取付板に沿って摺動可能に」を「前記基枠内の取付板の内側に沿って摺動可能に」と訂正し、「取付板に固定された頭付きガイドピンが長孔に通され、」を「取付板に固定された頭付きガイドピンが長孔に通されてガラス枠施錠杆は取付板の内側で上下摺動可能に支持され、」と訂正する。　
２．訂正の目的の適否、新規事項の有無及び拡張変更の存否の判断
　上記訂正事項ａは、特許明細書の請求項１に係る発明を特定する事項である「ガラス枠施錠杆が、前記基枠内の取付板に沿って」を「ガラス枠施錠杆が、前記基枠内の取付板の内側に沿って」と、特許明細書の段落【００１９】の記載に基づいて、限定しようとするものであり、特許請求の範囲の滅縮を目的とするものである。
　上記訂正事項ｂは、特許請求の範囲の請求項１に係る発明を特定する事項である「該取付板に固定された頭付きガイドピンが該長孔に通され」を「該取付板に固定された頭付きガイドピンが該長孔に通されて該ガラス枠施錠杆は該取付板の内側で上下摺動可能に支持され」と、特許明細書の段落【００２１】の記載に基づいて、限定しようとするものであり、特許請求の範囲の減縮を目的とするものである。
　上記訂正事項ｃは、上記訂正事項ａ、ｂの特許請求の範囲の訂正に伴って、訂正された特許請求の範囲の記載と発明の詳細な説明の記載との整合を図るものであるから、この訂正は、明りようでない記載の釈明に相当するものである。
　したがって、上記訂正事項ａ〜ｃは、いずれも、新規事項の追加に該当せず、実質上特許請求の範囲を拡張し、変更するものではない。
３．むすび
　以上のとおりであるから、上記訂正は、特許法第１２０条の４第２項及び同条第３項において準用する特許法第１２６条第２項及び第３項の規定に適合するので、当該訂正を認める。
第３．特許異議の申立てについての判断
１．本件発明
　上記第２．で示したように上記訂正が認められるから、本件の請求項１に係る発明は、上記訂正に係る訂正明細書の特許請求の範囲の請求項１に記載された事項により特定される以下のとおりのものである。
「【請求項１】 取付板と支持板からなる縦長の基枠の内側に、上部と下部に鉤部を一体的に設けた摺動杆が摺動可能に配設され、該基枠の取付板にシリンダ錠がその錠軸を内側に差込むように固定され、該錠軸の先端に前記摺動杆と係合するカム板が固定され、前記基枠の取付板がパチンコ機の前面枠に縦に取付けられ、パチンコ機の本体枠側に取付けられた受け金具に前記鉤部が係止されて該前面枠を施錠するパチンコ機用施錠装置において、
　ガラス枠鉤部を上部と下部に突設して一体的に形成されたガラス枠施錠杆が、前記基枠内の取付板の内側に沿って摺動可能に、且つ該ガラス枠鉤部を取付板から前方に突出させた状態で配設され、該ガラス枠施錠杆に複数の長孔が形成され、該取付板に固定された頭付きガイドピンが該長孔に通されて該ガラス枠施錠杆は該取付板の内側で上下摺動可能に支持され、該ガラス枠施錠杆の一部に前記カム板が係合可能な係合部が設けられ、パチンコ機のガラス枠の内側に設けた係止部に該ガラス枠鉤部が係止されて該ガラス枠が施錠され、前記シリンダ錠を前面枠の解錠時と反対方向に回して該カム板を同方向に回動させることにより、ガラス枠施錠杆を摺動させて該ガラス枠鉤部と係止部の係合を解きガラス枠を解錠することを特徴とするパチンコ機用施錠装置。」（以下、「本件発明」という。）
２．引用刊行物に記載された発明
　当審が平成１４年１２月２６日付けで通知した取消しの理由で引用した刊行物１（特開平９−２１５８３８号公報（異議申立人の甲第１号証））には、以下の事項が記載されている。
ａ「前記表枠２の自由端側の縦枠部２ａには裏面に、図２、図３及び図７に示されるように、施錠ユニット１２が組付けられている。前記施錠ユニット１２は、表枠２の縦枠部２ａの裏側に上下方向に沿って設置された縦長状のベース錠板１３と、そのベース錠板１３に上下スライド可能に装着された第１可動錠板１４と、第１可動錠板１４に重ね合わされた状態でベース錠板１３に上下スライド可能に装着された第２可動錠板１５と、キーによって回動操作され、第１可動錠板１４と第２可動錠板１５とを上下スライドさせる錠１６とを備えている。」（【０００９】）　　
ｂ「前記ベース錠板１３は横断面形状がＬ形状（図７参照）に形成された板状部材であり、表枠２の縦枠部２ａに重ね合わされて固定される取付け板１３ａと、後方（Ｙ軸方向）へ突出したガイド板１３ｂとから構成されている。前記ベース錠板１３の取付け板１３ａには、図３に示されるように、上部と下部に断面形状がＬ形状のブラケット１７がそれぞれ固定されており、このれらのブラケット１７にそれぞれガイドピン１８が固定されている。そして、これらのガイドピン１８が第１可動錠板１４の上下端部に形成された縦長状の挿通孔１４ａに貫設されるようになっている（図５参照）。これによって、前記第１可動錠板１４は挿通孔１４ａの長さ分だけベース錠板１３に対して上下にスライドできるようになる。ここで、ベース錠板１３の取付け板１３ａには第１可動錠板１４を下方へ付勢するスプリング（図示されていない）が繋止されている。したがって、外力が加わらない状態では第１可動錠板１４は下限位置に保持されている。」（【００１０】）
ｃ「前記第１可動錠板１４の中央部の若干上方には、図５に示されるように、錠１６の第１解錠片１６ａ、第２解錠片１６ｂが挿通された縦長状の通し窓１４ｃが開設されており、この通し窓１４ｃの窓縁に前記錠１６の第１解錠片１６ａに上から当接する第１伝動縁２４が形成されている。ここで、前記錠１６はキーを時計回りに回動させることにより第１解錠片１６ａを押し上げることができ、キーを反時計回りに回動させることにより第２解錠片１６ｂを押し下げることができる。このため、キーの操作によって第１解錠片１６ａが上昇すると、第１伝動縁２４の働きにより第１可動錠板１４はスプリングのバネ力に抗して押し上げられる。なお、前記ベース錠板１３のガイド板１３ｂの中央部付近には錠１６の両解錠片１６ａ，１６ｂと干渉しないように通し窓１３ｃが開設されている。」（【００１１】）
ｄ「前記第１可動錠板１４の上下端部には、ベース錠板１３の取付け板１３ａの後方（Ｙ軸方向）へ突出し、表枠２の閉止時に機台枠１の第１受け金具５に解離可能に掛止される上下１対の第１ロック爪２５が形成されている。これらの第１ロック爪２５には、図５、図６に示されるように、その下側に第１受け金具５の受け爪５ａが係合できる切欠き状の係合部２５ａが形成されている。このため、第１可動錠板１４がスプリングのバネ力に抗して押し上げられると、第１ロック爪２５と第１受け金具５との係合が解除される。さらに、第１ロック爪２５の先端部下側には傾斜したガイド縁２５ｂとが形成されている。このため、第１ロック爪２５を第１受け金具５の受け爪５ａに対して当接させるように水平に移動させると、そのガイド縁２５ｂの作用によって第１ロック爪２５は受け爪５ａに押し上げられ、さらに、その第１ロック爪２５の係合部２５ａが受け爪５ａの位置に到達した段階で、両者２５ａ，５ａがスプリングの力で係合される。即ち、前記受け爪５ａを備える機台枠１に対して前記第１ロック爪２５を備える表枠２を押圧することにより、自動的に機台枠１と表枠２と結合（施錠）することができる。」（【００１２】）
ｅ「前記ベース錠板１３のガイド板１３ｂには、図３、図５に示されるように、上部と中央部付近にガイドピン１９が固定されており、これらのガイドピン１９が前記ガイド板１３ｂと第１可動錠板１４との間に位置する第２可動錠板１５の上下端部に形成された縦長状の挿通孔１５ａに貫設されるようになっている（図５参照）。これによって、前記第２可動錠板１５は挿通孔１５ａの長さ分だけベース錠板１３に対して上下にスライドできるようになる。ここで、ベース錠板１３の取付け板１３ａには第２可動錠板１５を上方へ付勢するスプリング２３が繋止されている。したがって、外力が加わらない状態では第２可動錠板１５は上限位置に保持されている。前記第２可動錠板１５の中央部付近には、図５に示されるように、錠１６の第２解錠片１６ｂが挿通された縦長状の通し窓１５ｂが開設されており、この通し窓１５ｂの窓縁に錠１６の第２解錠片１６ｂに下から当接する第２伝動縁２６が形成されている。このため、前記錠１６がキーによって回動操作されると、前述のように、第２解錠片１６ｂが下降し、第２可動錠板１５は第２伝動縁２６の働きによりスプリング２３のばね力に抗して押下げられる。」（【００１３】）
ｆ「前記第２可動錠板１５の上下端部には、ベース錠板１３の取付け板１３ａを貫通してその前方へ突出され、金枠３の閉止時に前述の第２受け金具６に解離可能に掛止される上下１対の第２ロック爪２７が形成されている。これらの第２ロック爪２７（図５には上部の第２ロック爪２７のみが記載されている）には、その上側に金枠３の金具６の受け爪６ａが解離可能に係合できる切欠き状の係合部２７ａが形成されている。このため、第２可動錠板１５がスプリング２３のばね力に抗して押し下げられると、第２ロック爪２７と金具６の受け爪６ａとの係合が解除される。さらに、第２ロック爪２７の先端部上側には傾斜したガイド縁２７ｂが形成されている。このため、第２ロック爪２７に対して金具６の受け爪６ａを当接させるように水平に移動させると、そのガイド縁２７ｂの作用によって第２ロック爪２７は押し下げられ、さらに、その受け爪６ａが第２ロック爪２７の係合部２７ａの位置に到達した段階で、両者２７ａ，６ａがスプリング２３の力で係合される。即ち、前記受け爪６ａを備える金枠３を前記第２ロック爪２７を備える表枠２に対して押圧することにより、自動的に金枠３と表枠２と結合（施錠）することができる。また、第２可動錠板１５の中央部付近にはこの第２可動錠板１５を解錠するときに押下げ操作するための操作レバー３１が後方へ突出形成されている。」（【００１４】）
ｇ「また、開放された表枠２を後方の回動端へ回動して閉止すると、両第１ロック爪２５のガイド縁２５ｂが第１受け金具５の受け爪５ａに摺接して第１ロック爪２５が押上げられ、第１可動錠板１４が上動してから下動して両第１受け金具５の受け爪５ａが両第１ロック爪２５の係合部２５ａにそれぞれ係合し、両第１ロック爪２５がそれぞれ両第１受け金具５に掛止されて第１可動錠板１４が両第１受け金具５に結合され、表枠２が閉止状態でロックされる。
　この状態で、錠１６の第１解錠片１６ａをキーによって時計回りに回動させると、第１可動錠板１４のガイド縁２４が第１解錠片１６ａによって押上げられて第１可動錠板１４が上動し、両第１ロック爪２５が両第１受け金具から解放されて第１可動錠板２０が両第１受け金具５から解離され、前方への表枠２の回動動作が可能となる。」（【００１８】）
ｈ「また、開放された金枠３をこの金枠３が表枠２内に嵌め込まれるまで後方の回動端へ回動して閉止すると、両第２ロック爪２７のガイド縁２７ａが第２受け金具６の受け爪６ａにそれぞれ摺接して両第２ロック爪２７が押下げられ、第２可動錠板１５が若干下動してから上動して両第２ロック爪２７の係合部２７ａに第２受け金具６の受け爪６ａがそれぞれ係合し、両第２ロック爪２７がそれぞれ両第２受け金具６に掛止されて第２可動錠板２１が両第２受け金具６に結合され、金枠３が閉止状態でロックされる。
　この状態で、錠１６の第２解錠片１６ｂをキーによって反時計回りに回動させると、第２可動錠板１５の第２伝動縁２６が第２錠片１６ｂによって押下げられて第２可動錠１６が下動し、両第２ロック爪２７が両第２受け金具６から解放されて第２可動錠板１５が両第２受け金具６から解離されるとともに、金枠３の両ガイド突起３０が両第２ロック爪２７によって前方へ押動され、金枠３が前方へ若干回動して開放される。」（【００１９】）
　また、図面の図５には、第２ロック爪２７が取付け板１３ａから前方に突出して配置されていることが示されている。
　これらの記載事項ａ〜ｈ及び図面の図１〜３、５、７によれば、刊行物１には、以下の発明が記載されていると認められる。
「表枠２の縦枠部２ａに固定される取付け板１３ａと後方（Ｙ軸方向）へ突出したガイド板１３ｂからなる横断面形状がＬ形状に形成された縦長状のベース錠板１３に上下に一対第１ロック爪２５を設けた第１可動錠板１４がスライド可能に装着され、第１可動錠板１４と第２可動錠板１５をキーによる回動操作によって上下スライドさせる錠１６を備え、ベース錠板１３の取付け板１３ａがパチンコ機の表枠２に縦に取付けられ、パチンコ機の機台枠１に上下に一対固定された第１受け金具５に前記第１ロック爪２５が係合されて該表枠２を施錠するパチンコ機の錠装置において、第２ロック爪２７を突設して一体的に形成された第２可動錠板１５が、前記ベース錠板１３に上下スライド可能に、且つ該第２ロック爪２７を取付け板１３ａから前方に突出させた状態で配設され、第２可動錠板１５の上下端部に縦長状の挿通孔１５ａが形成され、ガイド板１３ｂの上部と中央部付近に固定された頭付きガイドピン１９が該挿通孔１５ａに貫設されることにより該第２可動錠板１５は該ベース錠板１３の内側で上下スライド可能に支持され、パチンコ機の金枠３の扉枠３ａの自由端部付近の裏面に上下に一対固定された第２受け金具６に第２ロック爪２７が係合されて該金枠３が施錠され、第２可動錠板１５の中央部付近には、錠１６の第２解錠片１６ｂが挿通された縦長状の通し窓１５ｂが開設されており、この通し窓１５ｂの窓縁に錠１６の第２解錠片１６ｂに下から当接する第２伝動縁２６が形成されており、錠１６を表枠２の解錠時（時計回り）と反対方向（反時計回り）にキーによって回動操作し、第２解錠片１６ｂが下降し、第２可動錠板１５は第２伝動縁２６の働きにより押下げられ、第２ロック爪２７が金具６から解離され、金枠３を開放するパチンコ機の錠装置」（以下、「引用発明」という。）
　同じく刊行物２（特開平7−２０４３３７号公報）には、以下の事項が記載されている。
ｉ「取付板と支持板からなる基枠体の内側に連結杆が摺動可能に配設され、該支持板の上部と下部に鉤部材が連結杆に連結されて傾動可能に枢支され、該取付板の中間部にシリンダ錠がその錠軸を取付板に設けた孔から内側に差込むように固定され、該錠軸の先端に前記連結杆と係合するカム板が固定され、
前記基枠体の取付板がパチンコ機の前面枠に縦に取付けられ、本体枠側に取付けられた受け金具に前記鉤部材が係止されて前面枠を施錠するパチンコ機の施錠装置において、前記支持板の上部と下部に、ガラス枠施錠用の鉤部材が傾動可能に枢支され、両鉤部材がガラス枠施錠用の連結杆により連結され、該連結杆の一部が前記カム板と係合可能に形成され、ガラス枠の一部に設けた係止ピンにガラス枠施錠用の該鉤部材が係止されてガラス枠が施錠され、前記シリンダ錠を前面枠の解錠時と反対方向に回して該カム板を同方向に回動させ、ガラス枠施錠用の鉤部材を傾動させてガラス枠を解錠するように構成したパチンコ機の施錠装置。」（【請求項１】）
ｊ「本発明は、上記の課題を解決するためになされたもので、前面枠用の施錠装置にガラス枠用の施錠具を内蔵させ、別個にガラス枠用施錠具を取付けたり、その調整作業を必要とせず、簡便に使用することができるパチンコ機の施錠装置を提供することを目的とする。」（【０００５】）
ｋ「【０００９】一方、前面枠内のガラス枠を前面枠に対し閉じると、ガラス枠内の係止ピンがガラス枠施錠用の鉤部材に当り、これを傾動させながら閉じられるため、鉤部材に係止ピンが係止され、ガラス枠は施錠状態となる。【００１０】ガラス枠を解錠する場合は、シリンダ錠のキーを逆方向に回して、カム板を同方向に回動させると、カム板の係合部がガラス枠施錠用の連結杆と係合してこれを下方へ摺動させ、上下の鉤部材を傾動させる。このガラス枠施錠用の鉤部材の傾動によって、ガラス枠の係止ピンと鉤部材の係合が外れ、ガラス枠は解錠される。【００１１】このように、前面枠用の施錠装置の基枠体内に、ガラス枠用の施錠具を内蔵しているため、基枠体の取付板を前面枠の内側に固定するだけで、別個にガラス枠用施錠具を取付ける必要がなく、簡単に取付け作業を行うことができる。また、別個にガラス枠用施錠具を取付ける場合のように、ガラス枠用施錠具との間の調整作業も必要としない。」（【０００９】〜【００１１】）
ｌ「取付板２の略中央の少しくぼんだ部分には、シリンダ錠７がその錠軸を孔から基枠体１の内側に挿入するように、ねじ又はかしめで固定される。シリンダ錠７の錠軸には２つの係合部８ａ，８ｂを持つカム板８が固定され、図４反時計方向にカム板８を回動させた場合、カム板の係合部８ａが連結杆６中央部の開口部に係合し、連結杆６を上方に摺動させ、鉤部材４、５を傾動させる。．．．【００１６】さらに、支持板３の左側面の上部と下部には、ガラス枠用施錠機構の鉤部材１４、１５がブラケットを１１介して下方に傾動可能に枢支ピン１４ａ，１５ａで枢支される。鉤部材１４、１５は三角形頭部とその中間部に係合凹部を有し、先端が正面側に突出して配設される。【００１７】基枠体１の内側には、図２に示すように、支持板３に沿って連結杆１６、１７が摺動可能に配設され、連結杆６の上端は鉤部材１４の中間部に連結ピン１４ｂで連結され、連結杆１７の下端は下部の鉤部材１５の中間部に連結ピン１５ｂで連結される。【００１８】連結杆１６は、支持板３に設けられた開口部を図１の左上から右下に通過し、連結杆１７は上記連結杆６と支持板３の間を通り、支持板３に設けた開口部を図１の右上から左下に通過するように配設される。．．．【００１９】さらに、連結杆１７のカム板８に対向した位置に開口部が設けられ、図４時計方向にカム板８を回動させたとき、カム板の係合部８ｂがその連結杆１７の開口部に係合し、連結杆１７、１６を下方に摺動させ、鉤部材１４、１５を下側に傾動させる。．．．これらの鉤部材１４、１５、連結杆１６、１７、コイルばね１９等によってガラス枠用の施錠機構が構成される。【００２０】このように構成された施錠装置は、パチンコ機の前面枠２１の内側に、シリンダ錠７の先端を前面に露出させ、鉤部材４、５を本体枠２側に向けた状態で、取付板２を用いて縦に取付けられる。また、本体枠２０の内側には、鉤部材４、５に対応した上下位置に受け金具２４、２５が固定される。【００２１】このような装着状態で、ガラス枠施錠用の鉤部材１４、１５は、前面枠２１の内側に開口されガラス枠が収納される部分の側部に位置することになる。また、ガラス枠２２の内側には、鉤部材１４、１５に対応した位置に、受け金具としての係止ピン２６、２７が水平に設けられる。【００２２】このような構成の施錠装置では、パチンコ機における前面枠２１を本体枠２０に対し閉じると、図５に示すように、施錠装置の上下の鉤部材４、５が本体枠２０側の受け金具２４、２５に当って下方に傾動しながら係止され、施錠状態となる。【００２３】それを解錠する場合は、キーによってシリンダ錠７を回し、カム板８を図１反時計方向に回転させると、カム板８の係合部８ａが連結杆６と係合してこれを上方へ摺動させ、上下の鉤部材４、５が上方へ傾動する。この鉤部材４、５の傾動によって、本体枠の受け金具２４、２５との係合が外れ、前面枠２１は開放可能な状態となる。【００２４】一方、前面枠２１内のガラス枠２２を前面枠２１に対し閉じると、図６に示すように、ガラス枠２２内の係止ピン２６、２７がガラス枠施錠用の鉤部材１４、１５に当り、これを下方に傾動させながら閉じられるため、鉤部材１４、１５に係止ピン２６、２７が係止され、ガラス枠２２は施錠状態となる。【００２５】ガラス枠を解錠する場合は、シリンダ錠７のキーを逆方向に回して、カム板８を図１時計方向へ回動させると、カム板８の係合部８ｂが連結杆１７と係合してこれを下方へ摺動させ、上下の鉤部材１４、１５を下方へ傾動させる。この鉤部材１４、１５の傾動によって、ガラス枠２２の係止ピン２６、２７と鉤部材１４、１５との係合が外れ、ガラス枠２２はばね等の付勢力で開放される。」（【００１５】〜【００２５】）
　これらの記載事項ｉ〜ｌ及び図面の図１〜６によれば、刊行物２には、以下の発明が記載されていると認められる。
「取付板２の中間部にシリンダ錠７がその錠軸を取付板２に設けた孔から基枠体１の内側に挿入するように固定され、該錠軸の先端には２つの係合部８ａ、８ｂをもつカム板８が固定され、基枠体１の取付板２がパチンコ機の前面枠２１に縦に取付けられ、本体枠２０側に取付けられた受け金具２４，２５に鉤部材４、５が係止されて前面枠２１を施錠するパチンコ機の施錠装置において、支持板３の上部と下部に、ガラス枠施錠用の鉤部材１４、１５が傾動可能に枢支され、両鉤部材１４、１５がガラス枠施錠用の連結杆１６、１７により連結され、該連結杆１６、１７の一部が前記カム板８と係合可能に形成され、ガラス枠２２の内側に設けた係止ピン２６，２７にガラス枠施錠用の該鉤部材１４、１５が係止されてガラス枠２２が施錠され、シリンダ錠７を前面枠２１の解錠時と反対方向に回して該カム板８を同方向に回動させ、カム板８の係合部がガラス枠施錠用の連結杆１６、１７と係合してこれを下方へ摺動させ、ガラス枠施錠用の鉤部材１４、１５を傾動させて、ガラス枠２２の係止ピン２６、２７と鉤部材１４、１５の係合が外れガラス枠２２を解錠するように構成したパチンコ機の施錠装置。」
３．対比判断    
ａ．本件発明と引用発明とを対比すると、
　引用発明における「機台枠１」、「表枠２」、「金枠３」、「第１受け金具５」、「第２受け金具６」、「ベース錠板１３」、「取付け板１３ａ」、「ガイド板１３ｂ」、「第１可動錠板１４」、「第２可動錠板１５」、「 挿通孔１５ａ」、「錠１６」、「 第１解錠片１６ａと第２解錠片１６ｂ」、「ガイドピン１９」、「第１ロック爪２５」、「第２伝動縁２６」、「第２ロック爪２」及び「パチンコ機の錠装置」は、それぞれ、
　本件発明における、「本体枠２０」、「前面枠２１」、「ガラス枠２２」、「受け金具２４、２５」、「係止部２６、２７」、「基枠１」、「取付板２」、「支持板３」、「摺動杆６」、「ガラス枠施錠杆１０」、「長孔１０ｃ」、「シリンダ錠７」、「力ム板８」、「ガイドピン２ｃ」、「鈎部４、５」、「係合部１４」、「ガラス枠鈎部１２，１３」及び「パチンコ機用施錠装置」に相当する。
　そうすると、両者は、以下の点でそれぞれ、一致ならびに相違するものと認められる。
一致点： 取付板と支持板からなる縦長の基枠の内側に、上部と下部に鉤部を一体的に設けた摺動杆が摺動可能に配設され、該基枠の取付板に摺動杆と係合するカム板を持つシリンダ錠が固定され、前記基枠の取付板がパチンコ機の前面枠に縦に取付けられ、パチンコ機の本体枠側に取付けられた受け金具に前記鉤部が係止されて該前面枠を施錠するパチンコ機用施錠装置において、
　ガラス枠鉤部を上部と下部に突設して一体的に形成されたガラス枠施錠杆が、前記基枠内の内側に沿って摺動可能に、且つ該ガラス枠鉤部を取付板から前方に突出させた状態で配設され、該ガラス枠施錠杆に複数の長孔が形成され、頭付きガイドピンが該長孔に通されて該ガラス枠施錠杆は基枠の内側で上下摺動可能に支持され、該ガラス枠施錠杆の一部にカム板が係合可能な係合部が設けられ、パチンコ機のガラス枠の内側に設けた係止部に該ガラス枠鉤部が係止されて該ガラス枠が施錠され、前記シリンダ錠を前面枠の解錠時と反対方向に回して該カム板を同方向に回動させることにより、ガラス枠施錠杆を摺動させて該ガラス枠鉤部と係止部の係合を解きガラス枠を解錠することを特徴とするパチンコ機用施錠装置。
相違点１：ガラス枠施錠杆に形成された長孔に、本件発明では、取付板に固定された頭付きガイドピンが通されて、ガラス枠施錠杆は、基枠内の取付板の内側に沿って摺動可能に配設され、取付板の内側で上下摺動可能に支持されているのに対して、引用発明（括弧内は引用発明の対応個所）では、支持板（ガイド板１３ｂ）に固定された頭付きガイドピンが通されて、ガラス枠施錠杆（第２可動錠板１５）は、基枠（ベース錠板１３）内の支持板（ガイド板１３ｂ）の内側に沿って摺動可能に配設され、該支持板（ガイド板１３ｂ）の内側で上下摺動可能に支持されている点。
相違点２：シリンダ錠が、本件発明では、その錠軸を基枠の取付板に内側に差込むように固定され、錠軸の先端に摺動杆と係合するカム板が固定されているのに対して、引用発明ではこの点について記載されていない点
〈相違点の検討〉
　相違点１について
　相違点１についてみると、基枠は、その内側に施錠具を取り付けるために用いられ、支持板と取付板からなる。ガラス枠施錠杆を、引用発明においては、頭付きガイドピンを固定した支持板で支持しているが、支持板に代えて取付板に頭付きガイドピンを固定し、取付板の方で支持して、相違点１に係る本件発明のように構成することは、そもそも基枠は施錠具を取り付けるものであり、しかも、支持板でガラス枠施錠杆を支持しても取付板で支持しても、ガラス枠施錠杆が基枠内の内側に沿って摺動可能であることに変わりはなく、取付板に頭付きガイドピンを固定し、ガラス枠施錠杆を支持することに格別阻害要因があるものとは認められないから、この点は、当業者が容易に想到し得ることである。
　特許権者は異議意見書において「さらに付加される効果として、ガラス枠施錠杆は、基枠内の取付板の内側に沿って摺動可能に配設され、且つ取付板に固定された頭付きガイドピンが長孔に通されて取付板の内側で上下摺動可能に支持されているから、ガラス枠施錠杆のがたつきが少なく、ガラス枠を良好に施錠することができる。」と主張するが、ガラス枠施錠杆を取付板で支持するとなぜガラス枠施錠杆のがたつきが少なくなるのか、特許明細書の記載から明らかではない。なお、摺動杆が取付板、支持板のどちらに配設されるのかは、発明を特定するために必要な事項として記載されていない。
　さらに、「ガラス枠施錠杆が取付板の内側に沿って配設され、そのガラス枠鉤部はガラス枠施錠杆の平面部の一部を直角に前方に曲折して形成されることになるため、ガラス枠鉤部の取付板の幅方向の位置は、その取付板の幅の範囲内で任意に決めることができ、基枠のスリム化も可能となる。」と主張するが、「ガラス枠鉤部はガラス枠施錠杆の平面部の一部を直角に前方に曲折して形成される」点は、特許明細書に記載がなく、明細書の記載から自明の事項ともいえず、ガラス枠施錠杆が取付板の内側に沿って摺動可能な構成、ガラス枠施錠杆が取付板の内側で上下摺動可能に支持される構成及びガラス枠鉤部を取付板から前方に突出させた状態で配設させる構成をもってしても、特許請求の範囲に、ガラス枠鉤部がガラス枠施錠杆の平面部の一部を直角に前方に曲折して形成される構成が含まれているとは認められない。
　したがって、これらの主張は採用できない。
　相違点２について
　相違点２についてみると、引用発明（括弧内は引用発明の対応個所）には、ガラス枠施錠杆（第２可動錠板１５）の中央部付近に、シリンダ錠（錠１６）のカム板８（第２解錠片１６ｂ）が挿通された縦長状の通し窓１５ｂが開設されており、この通し窓１５ｂの窓縁にシリンダ錠（錠１６）のカム板８（第２解錠片１６ｂ）に下から当接する係合部１４（第２伝動縁２６）が形成されており、シリンダ錠（錠１６）がキーによって回動操作されると、カム板８（第２解錠片１６ｂ）が下降し、ガラス枠施錠杆（第２可動錠板１５）は係合部１４（第２伝動縁２６）の働きにより押下げられ、ガラス枠鈎部１２、１３（第２ロック爪２７）と係止部２６、２７（金具６）の受け爪６ａとの係合が解除される点【前記摘記の記載ｅ】、シリンダ錠（錠１６）のカム板８（第１解錠片１６ａ）をキーによって時計回りに回動させると、摺動杆（第１可動錠板１４）の係合部（ガイド縁２４）がカム板８（第１解錠片１６ａ）によって押上げられて摺動杆（第１可動錠板１４）が上動し、両鉤部（第１ロック爪２５）が両受け金具（第１受け金具５）から解放されて摺動杆（第１可動錠板１４）が両第１受け金具（第１受け金具５）から解離され、前方への前面枠（表枠２）の回動動作が可能となる【前記摘記の記載ｇ】点が記載されており、上記記載から、シリンダ錠（錠１６）及びカム板（第１解錠片１６ａ及び第２解錠片１６ｂ）が摺動杆及びガラス枠施錠杆（第１可動錠板１４及び第２可動錠板１）を上下スライドさせる点は明確であるが、シリンダ錠がその錠軸を取付板に設けた孔から内側に差込むように固定され、該錠軸の先端に前記連結杆と係合するカム板が固定されているかどうかは図面を参酌しても判然としない。
　しかしながら、刊行物２には、パチンコ機の前面枠の内側に取り付けられ前面枠を本体枠に対し施錠するパチンコ機の施錠装置の取付板に取り付けられるシリンダ錠について、その錠軸を取付板に設けた孔から内側に差し込むように固定し、錠軸の先端に連結杆と係合するカム８を固定する点が、記載されている。
　してみると、刊行物２記載の上記技術を引用発明のシリンダ錠に適用し、シリンダ錠がその錠軸を取付板に設けた孔から内側に差込むように固定され、該錠軸の先端に前記連結杆と係合するカム板が固定されるように構成すること、すなわち相違点２における本件発明の構成は、刊行物２の記載から当業者が容易に想起できることである。
　そして、本件発明が奏する作用、効果は、引用発明及び刊行物２記載の発明から容易に予測することができたものである。
　よって、本件発明は、刊行物１及び刊行物２記載の発明に基づいて当業者が容易に発明をすることができたものである。
　４．むすび
　以上のとおりであるから、本件発明の特許は、特許法第２９条の規定に違反してされたものであるから、同法第１１３条第２号に該当し、取り消されるべきものである。
　よって、結論のとおり決定する。
【異議決定日】
平成１５年８月２１日（２００３．８．２１）
【訂正の要旨】
審決（決定）の【理由】欄参照。
（５４）【発明の名称】
パチンコ機用施錠装置
（５７）【特許請求の範囲】
　【請求項１】　取付板と支持板からなる縦長の基枠の内側に、上部と下部に鉤部を一体的に設けた摺動杆が摺動可能に配設され、該基枠の取付板にシリンダ錠がその錠軸を内側に差込むように固定され、該錠軸の先端に前記摺動杆と係合するカム板が固定され、前記基枠の取付板がパチンコ機の前面枠に縦に取付けられ、パチンコ機の本体枠側に取付けられた受け金具に前記鉤部が係止されて該前面枠を施錠するパチンコ機用施錠装置において、
　ガラス枠鉤部を上部と下部に突設して一体的に形成されたガラス枠施錠杆が、前記基枠内の取付板
の内側
て該ガラス枠施錠杆は該取付板の内側で上下摺動可能に支持され
【発明の詳細な説明】
　【発明の属する技術分野】
　本発明は、パチンコ機の前面枠を本体枠に対し施錠すると共に、前面枠内に開閉可能に取付けられたガラス枠を、前面枠に対し施錠するパチンコ機用施錠装置に関する。
　【従来の技術】
　パチンコ機の前面枠を本体枠に対し施錠する施錠装置として、断面Ｌ字状の取付板と支持板からなる基枠の内側に、摺動杆が摺動可能に配設され、支持板の上部と下部に鉤部材が摺動杆に連結されて傾動可能に枢支され、取付板の中間部にシリンダ錠がその錠軸を取付板に設けた孔から内側に差込むように固定され、錠軸の先端に摺動杆と係合するカム板が固定されてなる施錠装置が、一般に使用されている（例えば、実公昭５７−８８６７号公報等参照）。
　【発明が解決しようとする課題】
　一方、パチンコ機の前面枠内には、ガラスを嵌め込んだガラス枠が開閉可能に取付けられているが、この種の施錠装置には、ガラス枠を施錠するガラス枠用施錠具は設けられてなく、単にガラス枠用施錠具を解錠するための作動片付き作動杆が、施錠装置の基枠内に設けられ、シリンダ錠によるカム板の回動によりその作動杆を摺動させる機構が設けられているのみである。
　このため、ガラス枠用施錠具を別個に前面枠の内側に取付ける必要があり、その際の取付け作業に多くの工数がかかると共に、施錠装置側の作動片をガラス枠用施錠具側の受け具に合せるように、位置調整を行なう必要があり、取付け時の調整作業にも多くの作業工数がかかる問題があった。
　このため、従来、特開平７−２０４３３７号公報等により、１つの基枠内に前面枠用の施錠装置とガラス枠用の施錠装置を組み込んだパチンコ機の施錠装置が提案されている。
　この施錠装置は、支持板の外側の上部と下部に、ガラス枠施錠用の鉤部材を傾動可能に枢支し、両鉤部材をガラス枠施錠用の摺動杆により連結すると共に、摺動杆の一部を支持板の内側のカム板と係合可能な箇所まで延設し、シリンダ錠によるカム板の反対側への回動により、ガラス枠施錠用の摺動杆を摺動させ、それによってガラス枠用の鉤部材を傾動させ、ガラス枠の解錠を行う構造であった。このため、構造が複雑となり、部品点数が増大して、また、基枠が大形化する問題があった。
　本発明は、上記の課題を解決するためになされたもので、前面枠用の施錠装置にガラス枠用の施錠具を内蔵し、構造が簡単で小形化が可能なパチンコ機用施錠装置を提供することを目的とする。
　【課題を解決するための手段】
　上記の目的を達成するために、本発明の施錠装置は、取付板と支持板からなる縦長の基枠の内側に、上部と下部に鉤部を一体的に設けた摺動杆が摺動可能に配設され、基枠の取付板にシリンダ錠がその錠軸を内側に差込むように固定され、錠軸の先端に摺動杆と係合するカム板が固定され、基枠の取付板がパチンコ機の前面枠に縦に取付けられ、パチンコ機の本体枠側に取付けられた受け金具に鉤部が係止されて該前面枠を施錠するパチンコ機用施錠装置において、
　ガラス枠鉤部を上部と下部に突設して一体的に形成されたガラス枠施錠杆が、基枠内の取付板
の内側
てガラス枠施錠杆は取付板の内側で上下摺動可能に支持され
　【発明の作用・効果】
　このような構成の施錠装置では、前面枠を本体枠に対し閉じると、施錠装置の上下の鉤部が本体枠側の受け金具に当って摺動しながら係止され、施錠状態となる。
　それを解錠する場合は、キーによってシリンダ錠を回し、カム板を回転させると、カム板が摺動杆と係合してこれを摺動させ、上下の鉤部が移動することによって、本体枠の受け金具との係合が外れ、前面枠は開放可能な状態となる。
　一方、前面枠内のガラス枠を前面枠に対し閉じると、ガラス枠の係止部が前面枠側に取り付けた施錠装置のガラス枠鉤部の傾斜面に当り、ガラス枠鉤部がガラス枠施錠杆と共に摺動しながら、再び元の位置に戻ることにより、係止部にガラス枠鉤部が係止され、ガラス枠は施錠状態となる。
　ガラス枠を解錠する場合は、シリンダ錠のキーを逆方向に回して、カム板を同方向に回動させる。このとき、カム板の係合凸部がガラス枠施錠杆の係合部と係合してこれを摺動させる。このガラス枠施錠杆の摺動によって、ガラス枠鉤部と係止部との係合が外れ、ガラス枠は解錠される。
　このように、ガラス枠施錠具を構成するガラス枠施錠杆を基枠内に配設しているため、別個にガラス枠用施錠具を取付ける必要がなく、簡単に取付け作業を行うことができ、ガラス枠用施錠具との間の調整作業も必要としない。また、ガラス枠施錠杆を基枠内に摺動可能に配設し、ガラス枠施錠杆に設けたガラス枠鉤部をガラス枠側の係止部に係止させる構造としたから、従来のものより小形化が可能で、部品点数も少なくすることができる。また、摺動杆に鉤部が一体的に形成され、ガラス枠施錠杆においてもガラス枠鉤部が一体的に形成され、鉤部とガラス枠鉤部が共に上下に摺動（移動）して施錠・解錠が行なわれるため、構造が簡単で、強固な構造とすることができる。
　【発明の実施の形態】
　以下、本発明の実施例を図面に基づいて説明する。図１は施錠装置の正面図を、図２はその左側面図を、図３はその右側面図を、図４はその背面図を各々示している。１は取付板２と支持板３を略直角に曲折して一体成形してなる縦長の基枠で、取付板２には複数の取付孔が穿設される。
　上部と下部に鉤部４、５を一体的に設けた摺動杆６が上下に摺動可能に配設される。鉤部４、５は三角形頭部を有しその中間部に係合凹部を下側に向けて有している。また、支持板３の一部を内側に曲げそこにスリットを設けることによって、鉤部４、５を摺動可能にガイドするガイド部３ｃを形成している。
　支持板３に２個の長孔３ｂが形成され、その長孔３ｂに頭付ガイドピン６ａを通しその先端が摺動杆６に固定され、摺動杆６は支持板３に対し所定の範囲で摺動可能に支持される。摺動杆６の下部に、後述のカム板８の第一係合凸部８ａが係合する係合部１７が形成される。取付板２と摺動杆６の間にコイルばね９ｃが掛けられ、摺動杆６はこのばねにより常時下方に付勢される。鉤部４、５を上部と下部に有する摺動杆６は、パチンコ機の前面枠用の施錠機構を構成する。
　取付板２の下部の拡幅部分に、シリンダ錠７を取り付けるための異形孔が形成され、シリンダ錠７の元部を基枠１の内側に入れ、そこに固定する。シリンダ錠７は、その元部にフランジ７ａを有し、錠軸を基枠１の内側に挿入するようにして、フランジ７ａを取付板２の内側に固定ねじで固定する。
　シリンダ錠７の錠軸には第一係合凸部８ａと第二係合凸部８ｂを持つカム板８が固定される。図４反時計方向にカム板８を回動させた場合、カム板の第一係合凸部８ａは摺動杆６の係合部１７に係合し、摺動杆６を上方に摺動させ、鉤部４、５を上方に摺動させる。
　さらに、取付板２の内側に長手方向に沿って、縦長のガラス枠施錠杆１０が摺動可能に配設される。ガラス枠施錠杆１０は、図４、図５に示すように、帯状金属の上部と下部に、ガラス枠鉤部１２と１３を突設し、さらに下部にカム板８の第二係合凸部８ｂと係合可能な係合部１４を設けて形成される。上下のガラス枠鉤部１２、１３は、略三角形頭部を有して後述のガラス枠に設けた係止部２６、２７に係止可能に形成され、また、ガラス枠施錠杆１０の中間部には手動操作用の操作部１５が突設される。操作部１５は、基枠１の支持板３に形成した開口部３ａから外側に突き出るように配設される。
　基枠１の取付板２の上部には、ガラス枠鉤部１２を挿通するための長孔２ａが形成され、その長孔２ａからガラス枠鉤部１２は前方に突出する。また、取付板２の下部には、ガラス枠鉤部１３を挿通するための開口部２ｂが形成され、その開口部２ｂからガラス枠鉤部１３は前方に突出する。ガラス枠施錠杆１０には、複数の長孔１０ｃが形成され、各々の長孔に頭付ガイドピン２ｃが通され、その先端が取付板２上に固定される。
　これにより、ガイド枠施錠杆１０は取付板２上において所定の範囲で上下摺動可能に支持される。ガラス枠施錠杆１０と取付板２の間にコイルばね９ｂが掛けられ、さらにガラス枠施錠杆１０と摺動杆６と間にコイルばね９ａが掛けられ、これにより、ガラス枠施錠杆１０は上方へ付勢される。
　このように構成された施錠装置は、図６に示すように、パチンコ機における例えば合成樹脂製の前面枠２１の内側に、シリンダ錠７の先端を前面に露出させ、鉤部４、５をパチンコ機の本体枠２０側に突出した状態で、取付板２を用いて縦に取付けられる。
　一方、本体枠２０の内側の鉤部４、５に対応した上下位置には、受け金具２４、２５が固定される。さらに、パチンコ機の前面にはガラス枠２２が前面枠２１の開口部にヒンジを介して開閉可能に取付けられ、そのガラス枠２２の自由端部に、且つガラス枠施錠杆１０のガラス枠鉤部１２、１３が係止可能な、係止部２６、２７が取り付けられる。この係止部２６、２７は、ガラス枠鉤部１２、１３が進入可能な凹部の上部に金属板を渡す形態で形成される。
　このようなパチンコ機用施錠装置は、パチンコ機における前面枠２１を本体枠２０に対し閉じると、図６に示すように、施錠装置の上下の鉤部４、５が本体枠２０側の受け金具２４、２５に当って上方に移動し、コイルばね９ａの付勢力により戻って係止され、施錠状態となる。
　それを解錠する場合は、キーによってシリンダ錠７の錠軸を回し、カム板８を図４反時計方向に回転させると、カム板８の第一係合凸部８ａが摺動杆６の係合部１７と係合してこれを上方へ摺動させ、上下の鉤部４、５を上に移動させる。この鉤部４、５の上移動によって、本体枠の受け金具２４、２５との係合が外れ、前面枠２１は開放可能な状態となる。
　一方、前面枠２１内のガラス枠２２を前面枠２１に対し閉じると、図６に示すように、ガラス枠２２の内側に設けた係止部２６、２７が、ガラス枠施錠杆１０のガラス枠鉤部１２、１３の頭部の傾斜面に当り、これをガラス枠施錠杆１０と共に下方に摺動させ、コイルばね９ａ，９ｂの付勢力によりガラス枠施錠杆１０が上方に戻ることにより、係止部２６、２７にガラス枠鉤部１２、１３が係止され、ガラス枠２２は施錠状態となる。
　ガラス枠２２を解錠する場合は、シリンダ錠７のキーを逆方向に回して、カム板８を図４時計方向へ回動させると、図７に示すように、カム板８の第二係合凸部８ｂがガラス枠施錠杆１０の係合部１４と係合してこれを下方へ摺動させ、上下のガラス枠鉤部１２、１３を下方へ移動させる。この動作によって、ガラス枠２２のガラス枠鉤部１２、１３と係止部２６、２７の係合が外れ、ガラス枠２２は開放される。
　このように、前面枠用の施錠装置の基枠１内に、ガラス枠施錠杆１０を内蔵しているため、基枠１の取付板２を前面枠２１の内側に固定するだけで、別個にガラス枠用施錠具を取付ける必要がなく、簡単に取付け作業を行うことができる。また、別個にガラス枠用施錠具を取付ける場合のように、ガラス枠用施錠具との間の調整作業も必要としない。さらに、従来のこの種の施錠装置に比べ、構造が簡単化できると共に、部品点数が少なくなり、基枠つまり施錠装置の外形を小形化することができる。
　また、摺動杆６に鉤部４、５が一体的に形成され、ガラス枠施錠杆１０においてもガラス枠鉤部１２、１３が一体的に形成され、鉤部４、５とガラス枠鉤部１２、１３が共に上下に摺動（移動）して施錠・解錠が行なわれるため、構造が簡単で、強固な構造とすることができる。
【図面の簡単な説明】
　【図１】
　本発明の一実施例を示す施錠装置の正面図である。
　【図２】
　その左側面図である。
　【図３】
　その右側面図である。
　【図４】
　その背面図である。
　【図５】
　施錠装置の分解側面図である。
　【図６】
　使用状態を示す右側面図である。
　【図７】
　ガラス枠施錠杆の移動時（解錠時）の背面図である。
　【符号の説明】
　１−基枠
　２−取付板
　３−支持板
　４、５−鉤部
　６−摺動杆
　７−シリンダ錠
　８−カム板
　１０−ガラス枠施錠杆
　１２、１３−ガラス枠鉤部
　２６、２７−係止部